(57)【要約】【課題】表示手段に映像信号を可能な限りその画質（情報量や解像度等）を低下させずにかつ簡便に表示できるような映像表示方法及び映像表示システムを提供する。【解決手段】画像表示器１０５に表示させる映像信号が映像信号入力装置１０１により入力される映像信号入力工程と、縮小編集用ＰＣ１０２が、映像信号を縮小編集する編集工程及び映像信号を外部に出力する出力工程と、映像信号制御回路部１０３が、縮小編集用ＰＣ１０２から出力された映像信号をメモリ１０３ｂに記憶させる記憶工程及びメモリ１０３ｂを制御する制御工程と、駆動回路部１０４が、メモリ１０３ｂから送られた映像信号に従って画像表示器１０５を構成する素子を駆動する駆動工程とを備えることを特徴とする。【選択図】　図１
2004012738.tif 000002
【特許請求の範囲】
【請求項１】
表示手段に表示させる映像信号が映像信号入力手段により入力される映像信号入力工程と、
パソコンが、前記映像信号を縮小編集する編集工程及び前記映像信号を外部に出力する出力工程と、
映像信号制御手段が、前記パソコンから出力された映像信号を記憶手段に記憶させる記憶工程及び該記憶手段を制御する制御工程と、
駆動回路部が、前記記憶手段から送られた映像信号に従って表示手段を構成する素子を駆動する駆動工程とを備えることを特徴とする映像表示方法。
【請求項２】
前記制御工程による前記記憶手段の制御は、
前記表示手段の構成に基づいて非表示領域となるデータを読み飛ばして、前記記憶手段に記憶されている映像信号を順次読み出す制御であることを特徴とする請求項１に記載の映像表示方法。
【請求項３】
表示手段に表示させる映像信号を入力するための映像信号入力手段と、
前記映像信号を縮小編集するための編集手段及び前記映像信号を外部に出力するための出力手段を備えたパソコンと、
前記パソコンから出力された映像信号を記憶する記憶手段及び該記憶手段を制御するための制御手段を備える映像信号制御手段と、
前記記憶手段から送られた映像信号に従って表示手段を構成する素子を駆動する駆動手段を備える駆動回路部とを備えることを特徴とする映像表示システム。
【請求項４】
前記制御手段による記憶手段の制御は、
前記表示手段の構成に基づいて非表示領域となるデータを読み飛ばして、前記記憶手段に記憶されている映像信号を順次読み出す制御であることを特徴とする請求項３に記載の映像表示システム。
【発明の詳細な説明】
【０００１】
【発明の属する技術分野】
本発明は映像表示方法及び映像表示システムに関し、特に好適には、表面伝導型電子放出素子等の電子源或いはＬＥＤ等で構成された画像表示器に映像を表示するための映像表示方法及び映像表示システムに関する。
【０００２】
【従来の技術】
通常の映像信号、例えばＮＴＳＣ方式に準拠した映像をそのライン数（走査線数）５２５本（有効ライン数４８０本強）に比べライン数が少ない画像表示器に表示させようとする場合、元の映像のサイズをその表示器のサイズ、即ち垂直方向のライン数や水平方向の画素数に合わせて変換する必要がある。そのための手段として一般に知られるのはラインを間引く方法である。
【０００３】
例えば有効ライン数４８０本のＮＴＳＣ映像を３６０本のライン数を持つ画像表示器に表示させようとする場合、単純に元の映像のうち４ラインに１ラインの割合で間引いていけばよいことになる。
【０００４】
また別の方法として、元の映像の周辺部の映像は、一般には画面の中央部付近と比べれば重要な情報（映像）は少ないはずであるから、周辺部のラインから集中的に間引いていく方法も有効である。
【０００５】
更には、両者（等間隔での間引きと周辺部からの集中的な間引き）を適宜組み合わせ、画面中心から周辺に向かうに従って間引き率を上げていく方法も考えられる。
【０００６】
いずれにせよこの程度の間引き数であれば、間引き前後で映像を比べても情報量（画質）の差に遜色はないと考えられるため、間引き後の画像に対し更なる信号処理（画質補正処理）等を施す必要もことさらないと考えられる（図４の（ａ）、（ｂ）、（ｃ））。図４は、従来のＮＴＳＣ信号の表示例を示す概略図であり、（ａ）はＮＴＳＣ信号の有効領域を表示した際のイメージ図であり、（ｂ）は（ａ）を均等に間引いたイメージ図であり、（ｃ）は（ａ）の周辺部を集中的に間引いたイメージ図である。
【０００７】
【発明が解決しようとする課題】
しかしながら画像表示器のライン数が著しく少ない場合、例えば８０ラインであった場合、上述した単純な間引き方法を用いるとすると、４８０ラインに対して単純に６ラインのうち５ラインの割合で間引くことになる。
【０００８】
このような方法で変換された縮小映像は、もはや元の映像と比べると画質、情報量の点で大きく見劣りし、映像の種類によっては映像の判別がつかなくなる可能性があることは明白である（図５の（ａ）、（ｂ）、（ｃ））。図５は、従来のＮＴＳＣ信号の表示例を示す概略図であり、（ａ）はＮＴＳＣ信号の有効領域を表示した際のイメージ図であり、（ｂ）は（ａ）を均等に間引いたイメージ図であり、（ｃ）は（ａ）の周辺部を集中的に間引いたイメージ図である。
【０００９】
従って、元の映像に対して著しくライン数が少ない画像表示器に映像を表示する場合には単純なライン間引き方式だけではなく、複雑な信号処理を施して映像を縮小し、更には映像の補正処理を行う必要が生じる。
【００１０】
また、これらの方法ではひとたび信号処理の方式を決定すると、画像表示器のライン数及び１ラインあたりの画素数の変化に柔軟に対応するために更に複雑な信号処理系及び制御系を追加する必要性が生じる。
【００１１】
そこで本発明は、これらの複雑な映像信号処理技術を用いる方法に替わりＰＣの映像編集機能を利用することによって、ライン数が著しく少ない画像表示器に対しても、更にはライン数の変化に対しても簡易に対応可能な縮小映像の表示方法を提示し、縮小映像を表示するために複雑な信号処理系を使用しなければならない問題を解決するものである。
【００１２】
ただし、どのような方法を用いても画質は元の映像に比べある程度の劣化が生じることはやむをえないことであり、縮小できる（または縮小した画像が映像として使用するに値する）最小のライン数にも限界は存在することは言うまでもない（例えば、１０ラインしかない画像表示器に４８０ラインの映像を表示するには無理があるといえる）。
【００１３】
本発明は上述した課題を解決するためになされたものであり、表示手段に映像信号を可能な限りその画質（情報量や解像度等）を低下させずにかつ簡便に表示できるような映像表示方法及び映像表示システムを提供することを目的としている。
【００１４】
【課題を解決するための手段】
上記目的を達成するため、本発明に係る映像表示方法は、表示手段に表示させる映像信号が映像信号入力手段により入力される映像信号入力工程と、パソコンが、前記映像信号を縮小編集する編集工程及び前記映像信号を外部に出力する出力工程と、映像信号制御手段が、前記パソコンから出力された映像信号を記憶手段に記憶させる記憶工程及び該記憶手段を制御する制御工程と、駆動回路部が、前記記憶手段から送られた映像信号に従って表示手段を構成する素子を駆動する駆動工程とを備えることを特徴とする。
【００１５】
また、本発明に係る映像表示方法は、前記制御工程による前記記憶手段の制御は、前記表示手段の構成に基づいて非表示領域となるデータを読み飛ばして、前記記憶手段に記憶されている映像信号を順次読み出す制御であることを特徴とする。
【００１６】
さらに、本発明に係る映像表示システムは、表示手段に表示させる映像信号を入力するための映像信号入力手段と、前記映像信号を縮小編集するための編集手段及び前記映像信号を外部に出力するための出力手段を備えたパソコンと、前記パソコンから出力された映像信号を記憶する記憶手段及び該記憶手段を制御するための制御手段を備える映像信号制御手段と、前記記憶手段から送られた映像信号に従って表示手段を構成する素子を駆動する駆動手段を備える駆動回路部とを備えることを特徴とする。
【００１７】
また、本発明に係る映像表示システムは、前記制御手段による記憶手段の制御は、前記表示手段の構成に基づいて非表示領域となるデータを読み飛ばして、前記記憶手段に記憶されている映像信号を順次読み出す制御であることを特徴とする。
【００１８】
このように、本発明は映像信号を、例えばそれが持つライン数よりもライン数が少ない表示手段に対応させて元の映像信号を表示させる映像表示方法及び映像表示システムであって、編集手段により元の映像信号のライン数を減少させ、編集された信号を処理・記憶・制御し、表示手段の各素子を駆動させる。
【００１９】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００２０】
また、以下の図面において、既述の図面に記載された部品と同様の部品には同じ番号を付す。また、以下に説明する本発明に係る映像表示システムの一実施形態の説明は、本発明に係る映像表示方法の一実施形態の説明も兼ねる。
【００２１】
（映像表示システムの一実施形態）
まず、本発明に係る映像表示システムの一実施形態について図面を参照して説明する。図１は、本発明に係る映像表示システムの一実施形態のブロック図である。
【００２２】
図１により本実施形態による、ライン数の少ない画像表示器に映像信号を表示する映像表示システム及び映像信号表示方法の例について説明する。
【００２３】
図中１０１は画像表示器に表示する元になる映像信号（これをソース信号とする）の入力装置である映像信号入力装置である。
【００２４】
入力するソース信号は、ＰＣに取込んで編集可能なものであり、更にＰＣ出力後、後段において信号処理可能なものであれば特に制限はない。
【００２５】
例えばＴＶ信号をソース信号とする場合、無線／有線問わずチューナー等の受信機器が入力装置となる。また、ビデオカメラのカメラ画像／再生画像をソース信号とすれば、ビデオカメラがそのまま入力装置となる。
【００２６】
１０２はパーソナルコンピュータ（ＰＣ）により構成される縮小編集用ＰＣである。
【００２７】
この縮小編集用ＰＣ１０２は、取込んだ映像を画像表示器１０５のライン数及び１ラインあたりの画素数に合わせるようにサイズ縮小処理及び画質の補正を行う映像編集ソフト１０２ａと、取込んだ映像を記憶させておくためのＨＤＤなどの記憶装置１０２ｂと、映像信号入力装置１０１より出力されたＮＴＳＣ方式の映像信号をＰＣに取込むと共に、編集した映像を出力するＩ／Ｏ回路１０２ｃとを備えている。
【００２８】
１０３は、映像信号制御回路部である。この映像信号制御回路部１０３は、ＰＣから出力された編集済みの映像信号をメモリに記憶させるための信号処理を行うビデオデコーダ回路等からなるデコーダ１０３ａと、デコード／デジタル化された映像信号を記憶する映像信号記憶回路（以下、単にメモリともいう。）１０３ｂとを備える。
【００２９】
また、この映像信号制御回路部１０３は、メモリ１０３ｂの制御を行う制御部１０３ｃと、画像表示器の行（ライン）方向と列方向の駆動の同期を取るための同期信号発生回路１０３ｄとを備える。
【００３０】
また、制御部１０３ｃは、スタートアドレス設定回路１０３ｅと、メモリ制御回路１０３ｆとを備える。
【００３１】
ここで本実施形態ではメモリ１０３ｂに映像を記憶させる際、画像表示器１０５に表示させるべき縮小映像エリアだけでなく入力された全エリアの映像、即ちＮＴＳＣ信号の全ての領域をメモリに記憶させ、読み出す際に必要部分、即ち縮小エリアのみを読み出すようにしている。
【００３２】
そのためメモリ１０３ｂにはソース信号をフレーム単位で記憶し、処理するため、最低でも２フレーム分の記憶容量を持つか、或いは１フレーム分の記憶容量を持つものが２個以上必要とされる。
【００３３】
ただしこの方法では表示エリア以外のデータも記憶することになるため、メモリ容量の無駄遣いが発生する。
【００３４】
従って、記憶する際に表示エリアのみを記憶するようにすれば、メモリ１０３ｂの容量は少なくてすむ（ただし、表示ライン数の変化に柔軟に対応するには全エリアを取込むだけの記憶容量があるほうが望ましい）。
【００３５】
詳細は後述するが、メモリ１０３ｂに記憶された映像信号は、メモリ制御回路１０３ｆによってインターレースからノンインターレースへ、３０Ｈｚから６０Ｈｚへの変換を行いながら、表示に必要な縮小映像部分のみの信号が読み出され駆動回路部１０４に送られる。
【００３６】
ここで、表示部分のみのデータの読み出しは、スタート番地、１ライン上の画素数、１フレームあたりの（即ち画像表示器の）ライン数によって決定される。
【００３７】
これらの条件を頻繁に変更する必要があるときなどは、映像信号制御回路部１０３内或いは外部にＣＰＵやスイッチ等を配して上記３つの条件を制御すれば、異なるライン数の表示器に対しても柔軟に対応できるようになる。
【００３８】
また、映像信号制御回路部１０３からはメモリ１０３ｂを制御する信号以外に、映像表示器の駆動ラインの制御信号や、行方向と列方向の駆動の同期信号も発生し駆動回路部１０４に送られる。
【００３９】
駆動回路部１０４では映像データ信号に応じたパルス幅に変調（ＰＷＭ）しライン上の各画素を駆動するために駆動回路１０４ｃに送られ、同期信号を元に生成されるライン選択信号によって行方向と列方向の同期を保ちながら、素子の特性に応じた駆動電圧で各画素を駆動し画像表示器１０５に映像として表示させる。
【００４０】
また、駆動回路部１０４では、同期信号発生回路１０３ｄから出力された信号がライン選択回路１０４ａに入力する。
【００４１】
また、映像信号記憶回路１０３ｂから出力された信号はパルス幅変調回路１０４ｂにおいて変調され、駆動回路１０４ｃに出力される。
【００４２】
駆動回路１０４ｃは、ライン選択回路１０４ａ、パルス幅変調回路１０４ｂ及び電源回路１０４ｄからの出力を受けて、画像表示器１０５を駆動する。
【００４３】
なお、上述した装置構成であるが、本実施形態では具体的には映像信号入力装置１０１にデジタルビデオカメラ（ＤＶＣ）を使用している。
【００４４】
この場合、縮小編集用ＰＣ１０２において画像編集後、縮小編集用ＰＣ１０２から映像信号制御回路部１０３へ直接出力してもよいが、一度ＤＶＣに書き戻し、改めてＤＶＣの再生画像として映像信号制御回路部１０３へ出力してもよい。
【００４５】
その場合縮小編集用ＰＣ１０２は映像信号を編集するだけの役割であるから別の場所で行うことも可能であるため、本装置内に組み込む必要はない。
【００４６】
また、映像信号制御回路部１０３のビデオデコーダ回路及びその周辺の信号処理回路についても、入力される映像信号の形式に応じて適宜構成を変更する必要があることは言うまでもない。
【００４７】
引き続き、本実施形態の装置を用いて、ライン数の少ない画像表示器に縮小画像を表示する際の運用方法について図２を用いて説明する。なお、本例では非表示領域も含んだＮＴＳＣ信号の全領域を全てメモリに取込み、読み出し時に表示部分のデータを切り出すものとして説明する。図２は、本発明に係る映像表示システムの一実施形態の運用状態を説明するための概念図であり、（ａ）がソース画像、（ｂ）が編集映像である。
【００４８】
まず、映像信号入力装置から入力された映像信号をＰＣに取込み編集することになるが、映像を表示する画像表示器側のライン数及び１ライン当たりの画素数は既知なもの（図２のｃ及びｄ）であるから、編集の際、本来のＮＴＳＣ信号がもつライン数と画素数（図２のａとｂ）との対比から縮小編集する映像領域の大きさの見当をつけ、実際の表示領域よりも若干余裕を持ったサイズ（図２のｅとｆ）に縮小編集すればよい。
【００４９】
なぜなら、縮小編集された映像に関してもその周辺部の映像情報の重要性は少ないため、若干の周辺部の映像の欠落は、大きな問題とはならないからである。
【００５０】
ただし、あまり大きく編集しすぎると上記の考えは当てはまらなくなるため注意する必要はある。無論、画像表示器のライン数及び画素数に完全に一致したサイズで編集できればそれが最良であることは言うまでもない。
【００５１】
なお、編集した際、背景となる映像領域、即ち非表示領域がどのような映像であるかはこの際問題とはならない。
【００５２】
このように編集された映像を映像信号制御回路部に入力し、メモリに記憶させる。縮小映像のスタート部分の画素データはスタートアドレス設定用のスイッチ等によって定められる。
【００５３】
スタートアドレスは編集映像の１ラインあたりの画素数（即ちＮＴＳＣ信号の１ラインあたりの画素数）と縮小映像が配置されている位置がある程度判別できれば、容易に決定できる。
【００５４】
もし、表示した結果、映像サイズに不都合がある場合には編集作業をやり直し、表示した映像にずれが生じている場合にはスタートアドレスの設定をかえればよい。
【００５５】
その後のメモリからのデータの読み出しは、制御部１０３ｃが画像表示器１０５の１ラインあたりの画素数とライン数とから非表示領域となる不要データを読み飛ばすための番地サイズを設定し、以後、順次読み出して駆動回路部１０４に送信すれば、駆動回路によって表示器を構成する素子を駆動し映像として表示される。
【００５６】
このように、ある程度の精度で編集サイズが決まり、スタートアドレスが決まれば、メモリに取込まれた映像信号から表示部分を切り出して画像表示器に表示することは容易なこととなる。
【００５７】
ここで、上記本発明に係る映像表示システムの一実施形態の縮小映像表示方法について図３を参照して説明する。図３は、本発明に係る映像表示システムの一実施形態における映像表示方法のイメージ図である。
【００５８】
本実施形態では、図３に示されるように、ＮＴＳＣ信号３０１は、ＰＣに取り込まれ、縮小編集を経た後、縮小映像３０２を有するＮＴＳＣ信号として出力される。
【００５９】
このＮＴＳＣ信号は、図１に示される映像信号制御回路部１０３と駆動回路部１０４とからなる駆動装置内の信号処理部におけるビデオデコーダ３０３（図１ではデコーダ１０３ａ）に入力する。
【００６０】
ビデオデコーダ３０３において、Ｒ／Ｇ／Ｂ分離、Ａ／Ｄ変換を受けた後、ＮＴＳＣ信号はＰＬＤ（プログラマブル・ロジック・デバイス）などによる書込み制御動作により、メモリ３０４に格納される。
【００６１】
また、メモリ３０４内のデータは、スタート番地が設定されたＰＬＤなどにより読出し制御が行われ、例えば図１に示されるパルス幅変調回路１０４ｂに転送される。
【００６２】
この際、表示する映像の仕様に応じて、読出し方法を変更することで、インターレースからノンインターレース、フレームレート３０Ｈｚから６０Ｈｚへの変換等のＵＰコンバートを行うことも可能である。
【００６３】
そして、この転送されたＮＴＳＣ信号により画像表示器１０５が駆動されることによって、表示画像３０５が画像表示器に表示される。
【００６４】
このように、本発明に係る映像表示システムの一実施形態によれば、縮小編集用ＰＣ１０２により映像を縮小し、この縮小した映像に基づいて表示部分のデータを切り出しているため、複雑な信号処理が不要となり、さらに、元の映像の画質劣化を最小限に抑えることができる。
【００６５】
【発明の効果】
以上説明したように本発明によれば、通常のＮＴＳＣ方式の映像信号をライン数が少ない画像表示器に表示する際に、複雑な信号処理を行うことなく簡単な方法かつ構成で映像サイズの縮小を行うことによって、元の映像の画質劣化を最小限に抑えた状態での画像表示が実現される。
【図面の簡単な説明】
【図１】本発明に係る映像表示システムの一実施形態のブロック図である。
【図２】本発明に係る映像表示システムの一実施形態の運用状態を説明するための概念図である。
【図３】本発明に係る映像表示システムの一実施形態における映像表示方法のイメージ図である。
【図４】従来のＮＴＳＣ信号の表示例を示す概略図でである。
【図５】従来のＮＴＳＣ信号の表示例を示す概略図である。
【符号の説明】
１０１　映像信号入力装置
１０２　縮小編集用ＰＣ
１０２ａ　映像編集ソフト
１０２ｂ　記憶装置
１０２ｃ　Ｉ／Ｏ回路
１０３　映像信号制御回路部
１０３ａ　デコーダ
１０３ｂ　映像信号記憶回路（メモリ）
１０３ｃ　制御部
１０３ｄ　同期信号発生回路
１０３ｅ　スタートアドレス設定回路
１０３ｆ　メモリ制御回路
１０４　駆動回路部
１０４ａ　ライン選択回路
１０４ｂ　パルス幅変調回路
１０４ｃ　駆動回路
１０４ｄ　電源回路
１０５　画像表示器
３０１　ＮＴＳＣ信号
３０２　縮小映像
３０３　ビデオコーダ
３０４　メモリ
３０５　表示画像
【図１】
2004012738.tif 000003
【図２】
2004012738.tif 000004
【図３】
2004012738.tif 000005
【図４】
2004012738.tif 000006
【図５】
2004012738.tif 000007